(57)【要約】【課題】物品の上面と天井との間に容易に取り付けることができる転倒防止装置、及びその取り付け方法を提供する。【解決手段】転倒防止装置１はダンパ１０を備えている。ダンパ１０は設置面上に設置された家具Ｆ（物品）の上面と天井Ｃとの間に取り付けられる。ダンパ１０はシリンダ１１及びピストン１４を有している。シリンダ１１には作動油（作動液体）及び圧縮ガスが封入されている。ピストン１４は、シリンダ１１内に摺動自在に収納されている。そして、ピストン１４は、ダンパ１０を家具Ｆの上面と天井Ｃとの間に取り付ける時には、作動油よりも上方に封入された圧縮ガス内に収納されている。ピストン１４は、家具Ｆが傾いてダンパ１０が所定長さ収縮したときには、作動油内に移動し得る。【選択図】図１
2017164074.tif 000002
【特許請求の範囲】
【請求項１】
作動液体及び圧縮ガスが封入されたシリンダ並びに前記シリンダ内に摺動自在に収納されたピストンを有し、設置面上に設置された物品の上面と天井との間に取り付けられるダンパを備え、
前記ピストンは、前記ダンパを前記物品の上面と天井との間に取り付ける時には、前記作動液体よりも上方に封入された前記圧縮ガス内に収納されていることを特徴とする転倒防止装置。
【請求項２】
前記ピストンは、前記物品が傾いて前記ダンパが所定長さ収縮したときには、前記作動液体内に移動することを特徴とする請求項１記載の転倒防止装置。
【請求項３】
収縮した状態であり且つ前記ピストンが前記作動液体よりも上方に封入された前記圧縮ガス内に収納された状態の前記ダンパを、前記物品の上面と前記天井との間に取り付ける工程を含むことを特徴とする請求項１又は２記載の転倒防止装置の取り付け方法。
【発明の詳細な説明】
【技術分野】
【０００１】
本発明は転倒防止装置、及びその取り付け方法に関する。
【背景技術】
【０００２】
特許文献１は従来の転倒防止装置を開示している。この転倒防止装置はダンパを備えている。ダンパは床面上に設置された家具の上面と天井との間に取り付けられている。ダンパの両端部には一対のベース部が連結されている。一対のベース部はダンパの両端部の夫々を回動軸周りに回動自在に軸支している。一方のベース部は家具の上面に当接し、他方のベース部は天井に当接している。このため、この転倒防止装置は、地震等の揺れによってダンパの回動方向と平行な方向に家具が傾くと、各ベース部に対してダンパが回動軸周りに回動し、各ベース部が家具の上面と天井とに当接した状態を維持することができる。よって、この転倒防止装置は、ダンパの減衰力を家具に作用させることができ、家具の傾きを抑制して家具の転倒を防止することができる。
【先行技術文献】
【特許文献】
【０００３】
【特許文献１】特開２０１５−６３３０号公報
【発明の概要】
【発明が解決しようとする課題】
【０００４】
しかし、特許文献１の転倒防止装置は、家具の上面と天井との間に取り付ける際、ダンパの伸長方向に働く圧縮ガスの膨張力に抗して収縮させつつ、所望する取付け姿勢になるように取り付けなければならない。また、ダンパを収縮させる際には、ダンパの減衰力となる作動油（作動液体）の抗力が生じる。これらの力に抗して、家具の上方で作業者がダンパを収縮させながら取り付ける作業は困難性を有する。
【０００５】
本発明は、上記従来の実情に鑑みてなされたものであって、物品の上面と天井との間に容易に取り付けることができる転倒防止装置、及びその取り付け方法を提供することを解決すべき課題としている。
【課題を解決するための手段】
【０００６】
本発明の転倒防止装置は、ダンパを備えている。ダンパは設置面上に設置された物品の上面と天井との間に取り付けられる。ダンパはシリンダ及びピストンを有している。シリンダには作動液体及び圧縮ガスが封入されている。ピストンはシリンダ内に摺動自在に収納されている。そして、ピストンは、ダンパを物品の上面と天井との間に取り付ける時には、作動液体よりも上方に封入された圧縮ガス内に収納されている。
【０００７】
この転倒防止装置は、ピストンが、作動液体及び圧縮ガスが封入されたシリンダ内に摺動自在に収納されている。圧縮ガスは、作動液体よりも上方に封入されている。そして、ダンパを物品の上面と天井の間に取り付ける時には、ピストンは、圧縮ガス内に収納されている。このような構成により、取り付け時には、ダンパは、ピストンが作動液体内にない状態とされる。このため、作動液体による抗力が生じない状態で、ダンパを収縮させることができる。その結果、ピストンが作動液体内に収納された状態よりも容易にダンパを収縮させることができる。
【０００８】
したがって、本発明の転倒防止装置は、物品の上面と天井との間に容易に取り付けることができる。
【０００９】
本発明の転倒防止装置において、ピストンは、物品が傾いてダンパが所定長さ収縮したときには、作動液体内に移動し得る。この場合、ダンパが所定長さ収縮されるまでは、ピストンは圧縮ガス内に収納されている。このため、取り付けが容易である。そして、物品の傾きが生じ、ダンパが所定長さ収縮すると、ピストンが作動液体内に収納される。これにより、作動液体による減衰力を発生させることができる。その結果、物品の傾きが好適に抑制され、転倒を防止することができる。
【００１０】
なお、上記「所定長さ」は特に限定されない。この「所定長さ」を小さく設定すると、ピストンは小さな収縮量で作動液体内に移動するので好ましい。
【００１１】
本発明の転倒防止装置の取り付け方法は、ダンパを、物品の上面と天井との間に取り付ける工程を含む。この時、ダンパは、収縮した状態であり且つピストンが作動液体よりも上方に封入された圧縮ガス内に収納された状態である。すなわち、ダンパは、ピストンが作動液体内にない状態で取り付けられる。このようなダンパは、収縮状態にする際には、作動液体による抗力が生じない。このため、ピストンが作動液体内に収納された状態よりも小さな力でダンパを収縮させることができる。
【００１２】
したがって、本発明の転倒防止装置の取り付け方法は、物品の上面と天井との間に容易に取り付けることができる。
【図面の簡単な説明】
【００１３】
【図１】実施形態１の転倒防止装置を模式的に示す図である。
【図２】実施形態１の転倒防止装置を家具の上面と天井との間に取り付けた状態を示す側面図である。
【図３】実施形態１の転倒防止装置のダンパ及び第１ベース部を示す部分断面図である。
【図４】実施形態１の転倒防止装置の取り付けた状態における要部を模式的に示す断面図である。
【図５】実施形態１の転倒防止装置において、ダンパが収縮してピストンが作動油領域に移動した状態を示す側面図である。
【図６】実施形態１の転倒防止装置において、ダンパが収縮してピストンが作動油領域に移動した状態における要部を模式的に示す断面図である。
【発明を実施するための形態】
【００１４】
本発明の転倒防止装置、及びその取り付け方法を具体化した実施形態１について、図面を参照しつつ説明する。
【００１５】
＜実施形態１＞
実施形態１の転倒防止装置１は、図１及び図２に示すように、ダンパ１０を備えている。ダンパ１０は、家具Ｆ（本発明に係る物品として例示する。）の上面と天井Ｃとの間に取り付けられる。ダンパ１０の両端には一対のベース部２１，２２が夫々連結されている。ベース部２１，２２は、一方のベース部２１が家具Ｆの上面に当接し、他方のベース部２２が天井Ｃに当接する。
【００１６】
転倒防止装置１は、図２に示すように、家具Ｆの上面と天井Ｃとの間に少なくとも１個以上が取り付けられる。転倒防止装置１は、地震等の揺れが生じて家具Ｆが傾いた際に、ダンパ１０の減衰力を利用して家具Ｆの転倒を防止する。家具Ｆは、設置面となる床面（図示せず）から鉛直方向に伸びた壁面Ｗに背面を対向させて床面上に設置されている。また、この家具Ｆは、直方体形状をなしており、正面（図２における右側面）に図示しない扉や引き出し等を有し、内部に衣類や装身具等を収納することができる。家具Ｆは、水平断面形状が左右方向（図２において奥行き方向）に長い長方形状である。この家具Ｆは、転倒防止装置が取り付けられていない場合、地震等の揺れによって、前方向（図２において右方向）に傾いて転倒するおそれがある。
【００１７】
ダンパ１０は、シリンダ１１、及びピストン１４を有している。また、ダンパ１０は、ロッドガイド１２、ロッド１３、及び減衰部１５を有している。シリンダ１１は有底筒状に形成されている。シリンダ１１には作動油（本発明に係る作動液体として例示する。）及び圧縮ガスが封入されている。ロッドガイド１２は、シリンダ１１の開口部を封鎖している。ロッド１３は、ロッドガイド１２に摺動自在に挿通されており、その先端側がシリンダ１１の外部へ突出している。ピストン１４は、シリンダ１１内に摺動自在に収納されている。ピストン１４は、シリンダ１１の内部を、ロッド１３の基端部が収納されているロッド側圧力室１１Ｂと、反ロッド側圧力室１１Ｃと、に仕切るように設けられている。ピストン１４には、ロッド１３の基端部が接続されている。
【００１８】
減衰部１５は、ロッド側圧力室１１Ｂと反ロッド側圧力室１１Ｃとの間を移動する流体の流れに抵抗を付与する。減衰部１５は、オリフィス１５Ａと逆止弁１５Ｂとを有している。オリフィス１５Ａ及び逆止弁１５Ｂは、ロッド側圧力室１１Ｂ及び反ロッド側圧力室１１Ｃを連通する流路に夫々設けられている。オリフィス１５Ａは、双方向において流体の流れに抵抗を与える。逆止弁１５Ｂは、ロッド側圧力室１１Ｂから反ロッド側圧力室１１Ｃへの流体の流れを許容し、その逆の流れを阻止する。オリフィス１５Ａ及び逆止弁１５Ｂは、夫々ピストン１４に配されている。
【００１９】
ダンパ１０は伸長動作時に発生する減衰力が収縮動作時に発生する減衰力よりも小さい圧効きダンパである。ダンパ１０の伸長動作とは、シリンダ１１からロッド１３の突出長さ及びダンパ１０の長さが長くなっていく動作を意味する。また、ダンパ１０の収縮動作とは、シリンダ１１からロッド１３の突出長さ及びダンパ１０の長さが短くなっていく動作を意味する。また、ダンパ１０は、シリンダ１１に封入した圧縮ガスの膨張力が伸張方向に働いている。
【００２０】
減衰部１５によるダンパ１０の減衰力が発生するメカニズムは、以下の通りである。オリフィス１５Ａは、ダンパ１０の伸張及び収縮の両動作に伴うロッド側圧力室１１Ｂと反ロッド側圧力室１１Ｃとの間の作動油の流れに抵抗を付与する。逆止弁１５Ｂは、ロッド側圧力室１１Ｂから反ロッド側圧力室１１Ｃへの作動油の流れは許容するが、その逆の流れは阻止する。このため、ダンパ１０は、伸長動作時、ロッド側圧力室１１Ｂから反ロッド側圧力室１１Ｃへの作動油の流路経路が、オリフィス１５Ａと逆止弁１５Ｂの両方の経路となる。一方、収縮動作時には、反ロッド側圧力室１１Ｃからロッド側圧力室１１Ｂへの作動油の流路経路がオリフィス１５Ａのみとなる。このため、ダンパ１０は伸長動作時に発生する減衰力が収縮動作時に発生する減衰力よりも小さくなる。
【００２１】
一対のベース部２１，２２は、シリンダ１１の底部に連結される第１ベース部２１と、ロッド１３の先端部に連結される第２ベース部２２である。第１ベース部２１は、家具Ｆの上面に当接する。第２ベース部２２は、天井Ｃに当接する。第１ベース部２１及び第２ベース部２２は、ダンパ１０に対して回動自在に夫々設けられている。第１ベース部２１及び第２ベース部２２は略同じ形態及び構造とされている。
【００２２】
また、ダンパ１０は、両端に設けられた２個のジョイント部１８を有している。各ジョイント部１８は、図３に示すように、平板状の金具を折り曲げて形成されている。また、各ジョイント部１８はシリンダ１１の底部とロッド１３の先端部に接続されている。各ジョイント部１８はダンパ１０の軸線に直交する方向に貫通した貫通孔１８Ａが形成されている。
【００２３】
また、第１ベース部２１及び第２ベース部２２は、ベース部本体２３、回動軸部材であるボルト２４及びナット２５、及びブッシュ２６をそれぞれ有している。上述のように、第１ベース部２１及び第２ベース部２２は略同じ形態及び構造とされているので、以下の説明では第１ベース部２１を例示して説明する。
【００２４】
図３に示すように、ベース部本体２３は空洞である。ベース部本体２３は、挿通孔２３Ａを有している。回動軸部材はこの挿通孔２３Ａに挿通される。
回動軸部材は、ベース部本体２３の挿通孔２３Ａ一方から挿入されたボルト２４と、このボルト２４の軸部２４Ａにねじ込まれたナット２５とから構成されている。ボルト２４の中心軸が各ベース部２１，２２におけるダンパ１０の回動軸になる。
【００２５】
ブッシュ２６は、図３に示すように、略円筒状である。ブッシュ２６は弾性体である。ブッシュ２６の長さは、ベース部本体２３に取り付けられたときに、その両端面とベース部本体２３との間に僅かに隙間が生じる長さとされている。ブッシュ２６は中央部の外周面を一周した凹部２６Ａが形成されている。この凹部２６Ａの外径がダンパ１０のジョイント部１８に形成された貫通孔１８Ａの内径に略等しい。ブッシュ２６は凹部２６Ａの両端から立ち上がった部分の外径がダンパ１０のジョイント部１８に形成された貫通孔１８Ａの内径よりも大きい。また、ブッシュ２６は両端部の外周面２６Ｂが外方向に縮径している。このため、ブッシュ２６はダンパ１０のジョイント部１８に形成された貫通孔１８Ａに弾性変形させながら挿入される。そして、ブッシュ２６は、貫通孔１８Ａに凹部２６Ａが嵌まり込んで、ダンパ１０のジョイント部１８に取り付けられる。
【００２６】
ブッシュ２６は中央部の内径がボルト２４の軸部２４Ａの外径よりも僅かに大きい。また、ブッシュ２６は両端部の内周面２６Ｃが外方向に拡径している。このため、このブッシュ２６はボルト２４の軸部２４Ａ周りに回動自在である。また、このブッシュ２６は、拡径した両端部の内周面２６Ｃがボルト２４の軸部２４Ａの外周面に当接する範囲で、ボルト２４の軸部２４Ａに対して傾くことができる。つまり、ブッシュ２６をジョイント部１８に取り付けたダンパ１０は、ボルト２４の軸部２４Ａ周りに回動自在であり、回動方向に交差する方向に揺動自在である。さらに、ブッシュ２６が弾性変形することによって、ダンパ１０は回動方向に交差する方向に、より大きく揺動することができる。
【００２７】
転倒防止装置１のピストン１４は、ダンパ１０を家具Ｆの上面と天井Ｃとの間に取り付ける時には、作動油よりも上方に封入された圧縮ガス内に収納されている。すなわち、転倒防止装置１は、取り付けられる時には、図２及び図４に示すように、ピストン１４がシリンダ１１内の圧縮ガス領域１６に位置している。また、転倒防止装置１は、家具Ｆが傾いてダンパ１０が所定長さｓ収縮したときには、ピストン１４が作動油内に移動する。すなわち、転倒防止装置１は、地震の揺れ等により家具Ｆが傾いてダンパ１０が所定長さｓ収縮したときには、図５及び図６に示すように、ピストン１４がシリンダ１１内の圧縮ガス領域１６から作動油領域１７内に移動する。
【００２８】
このような構成を有する転倒防止装置１は、次に示すようにして家具Ｆの上面と天井Ｃとの間に取り付けられる。
【００２９】
最初に、ダンパ１０を収縮させる。ダンパ１０を収縮させた時、ピストン１４は作動油よりも上方に封入された圧縮ガス内に収納された状態である。この状態で、ダンパ１０を家具Ｆの上面と天井Ｃとの間に取り付ける。具体的には、ダンパ１０の下端部に連結された第１ベース部２１を家具Ｆの上面に当接させて載置する。ダンパ１０は、鉛直方向に対して１５°〜２０°の傾斜角度になるように取り付ける。そして、ダンパ１０の傾斜角度を維持しつつダンパ１０を伸張させ、第２ベース部２２を天井Ｃに当接させる。なお、ベース部２１，２２の位置調整は、ダンパ１０の回動方向と家具Ｆの傾く方向とが略平行になるように行う。取り付けの間、ピストン１４は、作動油領域１７内には移動せず、圧縮ガス領域１６内のみで摺動する。このため、ピストンが作動油内に収納された状態よりも小さな負荷でダンパ１０を収縮させることができる。
【００３０】
また、取り付け後には、圧縮ガスの膨張力によりロッド１３が突出してダンパ１０が伸張し、家具Ｆの上面と天井Ｃとの間で突っ張る力が作用している。これにより、調整済みのダンパ１０の角度や各ベース部２１，２２の位置が好適に保持される。また、上述のように、ダンパ１０の収縮動作がピストン１４の圧縮ガス領域１６内での摺動により行われることから、このダンパ１０の伸張動作においても、ピストン１４の摺動は圧縮ガス領域１６内で行われる。したがって、取り付け後の転倒防止装置１では、ピストン１４は、圧縮ガス領域１６内に位置する。
【００３１】
次に、転倒防止装置１の動作について説明する。
転倒防止装置１は、ダンパ１０が所定長さｓ収縮すると、圧縮ガス領域１６から作動油領域１７へ、ピストン１４が移動するように取り付けられている。地震等による家具Ｆの揺れにより、ダンパ１０が所定長さｓ以上に収縮した場合には、転倒防止装置１は、シリンダ１１内のピストン１４が圧縮ガス領域１６から作動油領域１７に移動する。これにより、ダンパ１０では、作動油による減衰力が生じる。このため、家具Ｆの揺れが効果的に減衰される。一方、家具Ｆの揺れが比較的小さく、ダンパ１０の収縮量が所定長さｓ以下である場合には、転倒防止装置１は、シリンダ１１内のピストン１４が圧縮ガス領域１６内のみで摺動する。
【００３２】
以上説明したように、実施形態１の転倒防止装置１は、ダンパ１０を備えている。ダンパ１０は設置面上に設置された家具Ｆの上面と天井Ｃとの間に取り付けられる。ダンパ１０はシリンダ１１及びピストン１４を有している。シリンダ１１には作動油及び圧縮ガスが封入されている。ピストン１４は、シリンダ１１内に摺動自在に収納されている。そして、ピストン１４は、ダンパ１０を家具Ｆの上面と天井Ｃとの間に取り付ける時には、作動油よりも上方に封入された圧縮ガス内に収納されている。
【００３３】
この転倒防止装置１は、ピストン１４が、作動油及び圧縮ガスが封入されたシリンダ１１内に摺動自在に収納されている。作動油は、圧縮ガスよりも下方に封入されている。そして、ダンパ１０を家具Ｆの上面と天井Ｃの間に取り付ける時には、ピストン１４は、圧縮ガス内に収納されている。このような構成により、取り付け時には、ダンパ１０は、ピストン１４が作動油内にない状態とされる。このため、作動油による抗力が生じない状態で、ダンパ１０を収縮させることができる。その結果、ピストン１４が作動油内に収納された状態よりも小さな力でダンパ１０を収縮させることができる。
【００３４】
したがって、実施形態１の転倒防止装置１は、家具Ｆの上面と天井との間に容易に取り付けることができる。
【００３５】
また、実施例１の転倒防止装置１では、ピストン１４は、家具Ｆが傾いてダンパ１０が所定長さ収縮したときには、作動油内に移動する。換言すると、ダンパ１０が所定長さｓ収縮されるまでは、ピストン１４は圧縮ガス内に収納されている。そして、物品の傾きが生じ、ダンパ１０が所定長さｓ収縮すると、ピストン１４が作動油内に収納される。これにより、作動油による減衰力が発生する。その結果、家具Ｆの傾きが好適に抑制され、転倒を防止することができる。
【００３６】
実施形態１の転倒防止装置１の取り付け方法は、ダンパ１０を、家具Ｆの上面と天井Ｃとの間に取り付ける工程を含む。この時、ダンパ１０は、収縮した状態であり且つピストン１４が圧縮ガス内に収納された状態である。すなわち、ダンパ１０は、ピストン１４が作動油内にない状態で取り付けられる。このようなダンパ１０を収縮状態にする際には、作動油による抗力が生じない。このため、ピストン１４が作動油内に収納された状態よりも小さな力でダンパ１０を収縮させることができる。
【００３７】
したがって、実施形態１の転倒防止装置１の取り付け方法は、家具Ｆの上面と天井Ｃとの間に転倒防止装置１を容易に取り付けることができる。
【００３８】
本発明は上記記述及び図面によって説明した実施形態１に限定されるものではなく、例えば次のような実施形態も本発明の技術的範囲に含まれる。
（１）実施形態１では、転倒防止装置を家具に対して取り付けたが、これに限定されず、例えば、複数の寝台を上下方向に連結したベッド、大型テレビ、冷蔵庫、書棚、ショーケース、サーバーラック等、地震等の揺れによって転倒するおそれのある他の物品に対して取り付けてもよい。
（２）実施形態１では、転倒防止装置を壁面に背面を対向させて床面上に載置された家具に対して取り付けたが、壁面に隣接させずに床面上に載置された家具等に対して取り付けてもよい。
（３）実施形態１では、圧効きダンパを利用したが、これに限定されず、例えば、両効きダンパ、伸効きダンパであってもよい。これらを用いる場合、ベース部を物品や天井に固定する、取り付け位置や取り付け個数、ダンパの傾斜角度、傾斜方向に注意するなど、ダンパの種類に応じて適切に取り付ける必要がある。
（４）実施形態１では、圧縮ガスの膨張力でダンパを伸張させたが、これに限定されず、例えば、圧縮コイルばね等の他の手段又はそれらの組み合わせ等により付勢力を更に付与してダンパを伸張させるようにしてもよい。
（５）実施形態１では、シリンダ内に封入する作動液体として作動油を採用したが、これに限定されず、所定の減衰力を発生させるものであれば、他の液体を採用してもよい。
【符号の説明】
【００３９】
Ｃ…天井、Ｆ…家具（物品）、Ｗ…壁面、１…転倒防止装置、１０…ダンパ、１１…シリンダ、１１Ｂ…ロッド側圧力室、１１Ｃ…反ロッド側圧力室、１２…ロッドガイド、１３…ロッド、１４…ピストン、１５…減衰部（１５Ａ…オリフィス、１５Ｂ…逆止弁）、１６…圧縮ガス領域、１７…作動油（作動液体）領域、１８…ジョイント部、１８Ａ…貫通孔、２１，２２…ベース部（２１…第１ベース部、２２…第２ベース部）、２３…ベース部本体、２３Ａ…挿通孔、２４…ボルト、２４Ａ…軸部、２５…ナット、２６…ブッシュ、２６Ａ…凹部、２６Ｂ…外周面、２６Ｃ…内周面
【図１】
2017164074.tif 000003
【図２】
2017164074.tif 000004
【図３】
2017164074.tif 000005
【図４】
2017164074.tif 000006
【図５】
2017164074.tif 000007
【図６】
2017164074.tif 000008